【手続補正書】
【提出日】平成20年8月12日(2008.8.12)
【手続補正１】
【補正対象書類名】特許請求の範囲
【補正対象項目名】全文
【補正方法】変更
【補正の内容】
【特許請求の範囲】
【請求項１】
流通装置を較正する方法であって、
該流通装置を介するプロセス流体の流量を示す変数に対する試験値を有する流れを生成することと、
試験期間の間において該流通装置によって供給された該プロセス流体の量に基づいて、該プロセス流体の実験的流量を決定することと、
試験流体を用いて生成された較正曲線と該プロセス流体の実験的流量とに基づいて、該プロセス流体の該流量を示す変数に対する計算値を決定することと、
該試験値と該計算値とに基づいて補正因子を決定することと、
該補正因子に基づいて該プロセス流体に対する流れ曲線を調節することと
を包含する、方法。
【請求項２】
複数の試験期間の間にわたる複数の試験値に基づいて、前記補正因子を決定することをさらに包含する、請求項１に記載の方法。
【請求項３】
少なくとも一つのさらなる試験値を使用して、少なくとも一つのさらなる補正因子を決定することをさらに包含する、請求項２に記載の方法。
【請求項４】
前記プロセス流体は、前記試験流体であって、前記較正曲線が該試験流体に基づいて生成される、試験流体とは異なる、請求項１に記載の方法。
【請求項５】
前記流量を示す変数は、圧力差か、時間差か、センサーにおける圧力かである、請求項１に記載の方法。
【請求項６】
前記流量を示す変数は圧力差（ΔＰ）であり、前記試験値（ΔＰｔｅｓｔ）は、動作中に前記流量制御装置が受けると期待される最大圧力差（ΔＰｍａｘ）の約半分である、請求項１に記載の方法。
【請求項７】
前記補正因子（Ｆ）は、Ｆ＝ΔＰｔｅｓｔ／ΔＰｃａｌｃであるように、前記計算値（ΔＰｃａｌｃ）によって除算された前記試験値（ΔＰｔｅｓｔ）である、請求項６に記載の方法。
【請求項８】
前記プロセス流体に対する補正された流れ曲線を生成することが、前記較正曲線に対応するｎ次多項式に前記補正因子を乗算することをさらに包含する、請求項７に記載の方法。
【請求項９】
前記流通装置において前記ｎ次多項式に対する補正された係数を記憶することをさらに包含する、請求項８に記載の方法。
【請求項１０】
前記流通装置が所定時間と異なる応答時間を有する場合、新しい感度因子を示唆することをさらに包含する、請求項１に記載の方法。
【請求項１１】
流通装置を較正する方法であって、
較正流体に対する較正曲線に対応するｎ次多項式に対する係数のセットを読み込むことと、
プロセス流体の粘度を示す入力を読み込むことと、
プロセス流体の粘度に基づいて該係数のセットのうちの係数を補正して、該プロセス流体に対する補正されたｎ次多項式に対する補正された係数のセットを生成することと、
記憶域に該補正された係数を記憶することと
を包含する、方法。
【請求項１２】
粘度の補正された変数のセットをローディングする工程を更に含み、
前記プロセス流体の粘度に基づいて前記係数のセットのうちの係数を補正することは、対応する補正された係数を生成するために、一つ以上の粘度相関変数を各係数に適用することを含む、請求項１１に記載の方法。
【請求項１３】
前記プロセス流体の粘度に基づいて前記係数のセットのうちの係数を補正して、該プロセス流体に対する補正されたｎ次多項式を生成することは、
第一係数ａに対して、ａｃｏｒ＝ａ＊（（ν＊Ｄ１）＋Ｄ０）に従って第一の補正された係数ａｃｏｒを生成することであって、ａは二次の係数であり、νは該プロセス流体の動粘度であり、Ｄ１は第一粘度相関変数であり、Ｄ０は第二粘度相関変数である、ことと、
第二係数ｂに対して、ｂｃｏｒ＝ｂ＊（ｂ＊（（ν）．５＊Ｅ１）＋Ｅ０）に従って第二の補正された係数を生成することであって、ｂは一次の係数であり、νは該プロセス流体の動粘度であり、Ｅ１は第三粘度相関変数であり、Ｅ０は第四粘度相関変数である、ことと
をさらに包含する、請求項１１に記載の方法。
【請求項１４】
Ｄ１とＤ０とは、ａによって除算された二次の係数のセット対前記プロセス流体の動粘度の曲線フィットから導き出される、請求項１３に記載の方法。
【請求項１５】
Ｅ１とＥ０とは、ｂによって除算された一次の係数のセット対前記プロセス流体の動粘度の平方根の曲線フィットから導き出される、請求項１３に記載の方法。
【請求項１６】
前記プロセス流体の粘度に基づいて前記係数のセットのうちの係数を補正して、該プロセス流体に対する補正されたｎ次多項式を生成することは、
第一係数ａに対して、ａｃｏｒ＝ａ＊（（（μ／ρ）＊Ｄ１）＋Ｄ０）に従って第一の補正された係数ａｃｏｒを生成することであって、ａは二次の係数であり、μは該プロセス流体の動的粘度であり、ρは該プロセス流体の密度であり、Ｄ１は第一粘度相関変数であり、Ｄ０は第二粘度相関変数である、ことと、
第二係数ｂに対して、ｂｃｏｒ＝ｂ＊（ｂ＊（（μ／ρ）．５＊Ｅ１）＋Ｅ０）に従って第二の補正された係数を生成することであって、ｂは一次の係数であり、μは該プロセス流体の動的粘度であり、ρは該プロセス流体の密度であり、Ｅ１は第三粘度相関変数であり、Ｅ０は第四粘度相関変数である、ことと
をさらに包含する、請求項１１に記載の方法。
【請求項１７】
前記プロセス流体の粘度に基づいて前記係数のセットのうちの係数を補正して、該プロセス流体に対する補正されたｎ次多項式を生成することは、
第一係数ａに対して、ａｃｏｒ＝ａ＊（（（μ）＊Ｄ１）＋Ｄ０）に従って第一の補正された係数ａｃｏｒを生成することであって、ａは二次の係数であり、μは該プロセス流体の動的粘度であり、Ｄ１は第一粘度相関変数であり、Ｄ０は第二粘度相関変数である、ことと、
第二係数ｂに対して、ｂｃｏｒ＝ｂ＊（ｂ＊（（μ）．５＊Ｅ１）＋Ｅ０）に従って第二の補正された係数を生成することであって、ｂは一次の係数であり、μは該プロセス流体の動的粘度であり、Ｅ１は第三粘度相関変数であり、Ｅ０は第四粘度相関変数である、ことと
をさらに包含する、請求項１１に記載の方法。
【請求項１８】
制御器を有する流通装置であって、該流通装置は、
較正プログラムを記憶しているコンピュータ可読媒体と、
該較正プログラムにアクセスし、該較正プログラムを実行するためのプロセッサと
を備え、該制御器は、
較正流体に対する較正曲線に対応するｎ次多項式に対する係数のセットを読み込むように動作可能であり、
プロセス流体の粘度を示す入力を受けるように動作可能であり、
プロセス流体の粘度に基づいて該係数のセットのうちの係数を補正して、該プロセス流体に対する補正されたｎ次多項式に対する補正された係数のセットを生成するように動作可能であり、
記憶域に該補正された係数を記憶するように動作可能である、流通装置。
【請求項１９】
前記プロセス流体の粘度に基づいて前記係数のセットのうちの係数を補正することは、対応する補正された係数を生成するために各係数に一つ以上の粘度相関変数を適用することをさらに含む、請求項１８に記載の流通装置。
【請求項２０】
前記制御器はさらに、
第一係数ａに対して、ａｃｏｒ＝ａ＊（（ν＊Ｄ１）＋Ｄ０）に従って第一の補正された係数ａｃｏｒを生成するように動作可能であり（ａは二次の係数であり、νは前記プロセス流体の動粘度であり、Ｄ１は第一粘度相関変数であり、Ｄ０は第二粘度相関変数である）、
第二係数ｂに対して、ｂｃｏｒ＝ｂ＊（ｂ＊（（ν）．５＊Ｅ１）＋Ｅ０）に従って第二の補正された係数を生成するように動作可能である（ｂは一次の係数であり、νは該プロセス流体の動粘度であり、Ｅ１は第三粘度相関変数であり、Ｅ０は第四粘度相関変数である）、請求項１８に記載の流通装置。
【請求項２１】
前記制御器はさらに、
第一係数ａに対して、ａｃｏｒ＝ａ＊（（（μ／ρ）＊Ｄ１）＋Ｄ０）に従って第一の補正された係数ａｃｏｒを生成するように動作可能であり（ａは二次の係数であり、μは前記プロセス流体の動的粘度であり、ρは該プロセス流体の密度であり、Ｄ１は第一粘度相関変数であり、Ｄ０は第二粘度相関変数である）、
第二係数ｂに対して、ｂｃｏｒ＝ｂ＊（ｂ＊（（μ／ρ）．５＊Ｅ１）＋Ｅ０）に従って第二の補正された係数を生成するように動作可能である（ｂは一次の係数であり、μは該プロセス流体の動的粘度であり、ρは該プロセス流体の密度であり、Ｅ１は第三粘度相関変数であり、Ｅ０は第四粘度相関変数である）、請求項１８に記載の流通装置。
【請求項２２】
前記制御器はさらに、
第一係数ａに対して、ａｃｏｒ＝ａ＊（（（μ）＊Ｄ１）＋Ｄ０）に従って第一の補正された係数ａｃｏｒを生成するように動作可能であり（ａは二次の係数であり、μは前記プロセス流体の動的粘度であり、Ｄ１は第一粘度相関変数であり、Ｄ０は第二粘度相関変数である）、
第二係数ｂに対して、ｂｃｏｒ＝ｂ＊（ｂ＊（（μ）．５＊Ｅ１）＋Ｅ０）に従って第二の補正された係数を生成するように動作可能である（ｂは一次の係数であり、μは該プロセス流体の動的粘度であり、Ｅ１は第三粘度相関変数であり、Ｅ０は第四粘度相関変数である）、請求項１８に記載の流通装置。